(57)【要約】【課題】  建物内部への搬入性および建物内部での組立性の向上を図るとともに、作業面の面積を自在に変更することが可能な移動式作業台を提供する。【解決手段】  主枠体１４は、四角形の枠体１５と、下端部に車輪１６が装着され外側垂直棒材２０に連結される垂直支柱１７とにより形成されている。門形フレーム１２は、２つの主枠体１４を内側垂直棒材２１で連結することにより形成され、骨組み体１３は、複数の門形フレーム１２を相互に平行に配置した状態のもとで相互に隣り合う門形フレーム１２を連結棒材３３により連結することにより形成される。相互に隣り合う門形フレーム１２の上側水平棒材１８の間に複数の足場板３５を掛け渡して作業面を形成し、骨組み体１３の上端部の周囲に手摺りを取り付け、下端部に車輪を有する階段を作業面と地盤との間に取り付ける。【選択図】    図４
2006016866.tif 000002
【特許請求の範囲】
【請求項１】
上側水平棒材、これに平行な下側水平棒材、それぞれの前記水平棒材の一端部に固定される外側垂直棒材、およびそれぞれの前記水平棒材の他端部に固定される内側垂直棒材を備えた四角形の枠体と、下端部に車輪が装着され前記外側垂直棒材に連結される垂直支柱とにより主枠体を形成し、
２つの前記主枠体を前記内側垂直棒材で連結して門形フレームを形成し、
複数の前記門形フレームを相互に平行に配置した状態のもとで相互に隣り合う前記門形フレームを連結棒材により連結して骨組み体を形成し、
相互に隣り合う前記門形フレームの前記上側水平棒材の間に複数の足場板を掛け渡して作業面を形成し、
前記骨組み体の上端部の周囲に手摺りを取り付けることを特徴とする移動式作業台。
【請求項２】
請求項１記載の移動式作業台において、下端部に車輪を有する階段を前記作業面と地盤との間に取り付けることを特徴とする移動式作業台。
【請求項３】
請求項１または２記載の移動式作業台において、前記垂直支柱は、大径パイプと、当該大径パイプの内部に摺動自在に嵌合される小径棒材と、前記小径棒材が前記大径パイプに対して所定の長さ突出した状態で前記小径棒材と前記大径パイプとを固定する固定ピンとを有し、前記垂直支柱の全長を可変とすることを特徴とする移動式作業台。
【請求項４】
請求項１〜３のいずれか１項に記載の移動式作業台において、前記下側水平棒材に踊場用の足場板を取り付け、前記作業面と前記踊場用の足場板との間に階段部材を装着するとともに前記踊場用の足場板と前記地盤との間に階段部材を装着して両方の階段部材により前記階段を形成することを特徴とする移動式作業台。
【請求項５】
請求項１〜４のいずれか１項に記載の移動式作業台において、前記垂直支柱に前記車輪の垂直軸回りの旋回移動を禁止するロック部材を設け、前記地盤に平行に配置された案内レール上に前記車輪を配置し、前記案内レールに沿って前記骨組み体を移動させることを特徴とする移動式作業台。
【請求項６】
請求項１〜５のいずれか１項に記載の移動式作業台において、相互に隣り合う前記門形フレームの前記下側水平棒材の間に複数の足場板を掛け渡して足場面を形成し、相互に隣り合う前記門形フレームの前記上側水平棒材の間に複数の前記足場板を掛け渡す際に作業者が前記足場面の上で作業することを特徴とする移動式作業台。
【請求項７】
請求項１〜６のいずれか１項に記載の移動式作業台において、前記骨組み体のうち相互に隣り合う前記門形フレームの間に荷物搬入台車が進入する開口部を形成することを特徴とする移動式作業台。
【発明の詳細な説明】
【技術分野】
【０００１】
本発明は室内天井工事などの内装工事に使用して好適な移動式作業台に関する。
【背景技術】
【０００２】
建物内部の天井や壁面などの内装工事を行う際に、室内において作業台を組み上げて所定の高さに作業面を形成し、その作業面上に作業員がのり込んで所定の作業を行うことがある。これまでに、複数本の棒材を用いて所定の高さにまで骨組み体を組み上げ、水平に設けられた棒材に布板を掛け渡して作業面を形成するとともに、骨組み体の下端部に車輪を設けた移動式作業台が知られている。このような移動式作業台は、立設状態のまま水平に移動させることが可能であり、内装工事の進捗状況にともなって立設位置を変えることができる。
【発明の開示】
【発明が解決しようとする課題】
【０００３】
建物内部に移動式作業台を形成するためには、建物の搬入口から室内に作業台の構成部材を搬入するとともに、それらの構成部材を建物内部の限られたスペースで組み上げる必要がある。これらの構成部材を予め適当な大きさにユニット化しておけば、構成部材の搬入作業やスペースの限られた室内における組立作業を効率的に行うことができる。
【０００４】
移動式作業台に形成される作業面の面積は広く確保されるだけ使い勝手が良くなるが、一方で、作業台全体の寸法や重量が大きくなって移動時の機動性が損なわれる。この点、内装工事の対象となる天井や壁面の大きさに応じて、作業面の面積を自在に変更できれば便宜である。
【０００５】
本発明の目的は、建物内部への搬入性および建物内部での組立性の向上を図るとともに、作業面の面積を自在に変更することが可能な移動式作業台を提供することにある。
【課題を解決するための手段】
【０００６】
本発明の移動式作業台は、上側水平棒材、これに平行な下側水平棒材、それぞれの前記水平棒材の一端部に固定される外側垂直棒材、およびそれぞれの前記水平棒材の他端部に固定される内側垂直棒材を備えた四角形の枠体と、下端部に車輪が装着され前記外側垂直棒材に連結される垂直支柱とにより主枠体を形成し、２つの前記主枠体を前記内側垂直棒材で連結して門形フレームを形成し、複数の前記門形フレームを相互に平行に配置した状態のもとで相互に隣り合う前記門形フレームを連結棒材により連結して骨組み体を形成し、相互に隣り合う前記門形フレームの前記上側水平棒材の間に複数の足場板を掛け渡して作業面を形成し、前記骨組み体の上端部の周囲に手摺りを取り付けることを特徴とする。
【０００７】
本発明の移動式作業台は、下端部に車輪を有する階段を前記作業面と地盤との間に取り付けることを特徴とする。
【０００８】
本発明の移動式作業台は、前記垂直支柱は、大径パイプと、当該大径パイプの内部に摺動自在に嵌合される小径棒材と、前記小径棒材が前記大径パイプに対して所定の長さ突出した状態で前記小径棒材と前記大径パイプとを固定する固定ピンとを有し、前記垂直支柱の全長を可変とすることを特徴とする。
【０００９】
本発明の移動式作業台は、前記下側水平棒材に踊場用の足場板を取り付け、前記作業面と前記踊場用の足場板との間に階段部材を装着するとともに前記踊場用の足場板と前記地盤との間に階段部材を装着して両方の階段部材により前記階段を形成することを特徴とする。
【００１０】
本発明の移動式作業台は、前記垂直支柱に前記車輪の垂直軸回りの旋回移動を禁止するロック部材を設け、前記地盤に平行に配置された案内レール上に前記車輪を配置し、前記案内レールに沿って前記骨組み体を移動させることを特徴とする。
【００１１】
本発明の移動式作業台は、相互に隣り合う前記門形フレームの前記下側水平棒材の間に複数の足場板を掛け渡して足場面を形成し、相互に隣り合う前記門形フレームの前記上側水平棒材の間に複数の前記足場板を掛け渡す際に作業者が前記足場面の上で作業することを特徴とする。
【００１２】
本発明の移動式作業台は、前記骨組み体のうち相互に隣り合う前記門形フレームの間に荷物搬入台車が進入する開口部を形成することを特徴とする。
【発明の効果】
【００１３】
本発明によれば、作業面が形成される骨組み体を構成する門形フレームの枠体を予め所定の四角形状にユニット化しておくことで、構成部材の搬入作業やスペースの限られた室内における組立作業を効率的に行うことができる。
【００１４】
本発明によれば、所定の間隔で相互に平行に配置される門形フレームの数を増減させることで、内装工事の対象となる天井や壁面の大きさに応じて、形成することが可能な作業面の面積を変えることができる。作業台全体の寸法や重量を不用意に大きくすることなく、移動式作業台の機動性が不用意に損なわれることがない。
【００１５】
本発明によれば、門形フレームを組み立てた後に水平状態から垂直状態に立てて他の門形フレームと連結棒材により連結することにより１組の骨組み体を形成することができ、移動式作業台を迅速に組み立てることができる。
【発明を実施するための最良の形態】
【００１６】
以下、本発明の実施の形態を図面に基づいて詳細に説明する。
【００１７】
図１は本発明の一実施の形態である移動式作業台の全体構成を示す斜視図である。移動式作業台１０は、体育館やショッピングセンターなどのような天井の高い建物内部の天井や壁面などの内装工事を行う際に、建物の内部で組み立てられ、地上から所定の高さに形成される作業面１１上に作業員がのり込んで所定の作業を行うようになっている。図示される場合にあっては、地盤から所定の高さ（例えば、３ｍ）の水平面上に、所定の大きさの作業面１１が形成されている。
【００１８】
図２は一実施の形態である門形フレームの全体構成を示す正面図である。なお、図１に示される部材と同様の部材には同一の符号が付されている。
【００１９】
門形フレーム１２は、移動式作業台１０の土台となる骨組み体１３を形成するための組立て体であって、１台の門形フレーム１２は２つの主枠体１４を連結することにより形成される。その主枠体１４は、四角形の枠体１５と、下端部に車輪１６が装着された垂直支柱１７とにより形成される。
【００２０】
枠体１５は、上側水平棒材１８と、これに平行な下側水平棒材１９と、それぞれの水平棒材１８，１９の一端部に固定される外側垂直棒材２０、およびそれぞれの水平棒材１８，１９の他端部に固定される内側垂直棒材２１とを備え、これらの棒材１８〜２１を四角形状に配置して相互に固定することにより形成される。このように、棒材１８〜２１を予め相互に固定しユニット化しておくことで、個々の棒材１８〜２１を室内に搬入してから枠体を形成する場合に比して、室内への搬入作業が容易となり、移動式作業台１０の組立て作業を簡素化することができる。
【００２１】
垂直支柱１７は、大径パイプ２２と、その大径パイプ２２の内部に摺動自在に嵌合される小径棒材２３と、固定ピン２４とを有している。大径パイプ２２の下端部には固定ピン２４の挿入孔２２ａが貫通しており、小径棒材２３には軸方向に沿って所定の間隔おきに挿入孔２２ａと同形の位置決め孔２３ａが貫通している。そして、挿入孔２２ａといずれか１つの位置決め孔２３ａとが連通するように大径パイプ２２に対する小径棒材２３の位置を調節するとともに、連通状態にある挿入孔２２ａと位置決め孔２３ａとに固定ピン２４を挿入することによって、小径棒材２３を大径パイプ２２に対して所定の長さ突出した状態で固定することができるようになっている。
【００２２】
図３は垂直支柱の下端部に装着される車輪を拡大して示す斜視図である。垂直支柱１７の下端部には平板状のベース部１７ａが設けられており、そのベース部１７ａの裏面には、図示しない軸受に装着され、垂直軸回りに３６０°旋回可能な車輪１６が設けられている。車輪１６には車輪１６の水平軸回りの回転を規制するためのロック機構２５が装着されるとともに、車輪１６の垂直軸回りの旋回移動を禁止するためのロック部材２６がベース部１７ａに着脱自在に取り付けられている。ロック部材２６は、地盤に平行に配置された案内レール２７上に車輪１６を配置する際に取り付けられ、ロック部材２６を取り付けた車輪１６は、直線状に配置された案内レール２７上をスムーズに移動することができる。
【００２３】
図２に示されるように、枠体１５の外側垂直棒材２０は、通常一般に用いられるクランプなどの締結具２８により、垂直支柱１７に連結されている。図示される場合にあっては、垂直支柱１７と下側水平棒材１９との間には筋かい２９が掛け渡されている。また、上側水平棒材１８と下側水平棒材１９との間には、それぞれの垂直棒材２０，２１に平行して複数本の補強部材３０が組み付けられるとともに、斜方向に複数本の筋かい３１が掛け渡されている。なお、補強部材３０および筋かい３１のそれぞれは、任意に増減可能であることは言うまでもない。また、垂直支柱１７は締結具２８によって枠体１５の外側垂直棒材２０に締結されるようになっており、主枠体１４を組み立てる時に締結具２８によって外側垂直棒材２０と垂直支柱１７が連結されるようになっているが、組立時に溶接によってこれらを連結して主枠体１４を組み立てるようにしても良い。
【００２４】
このような主枠体１４を２つ用意し、それぞれの主枠体１４の内側垂直棒材２１を相互に平行に配置するとともに、それぞれの内側垂直棒材２１を締結具２８と同様の締結具３２により連結することによって、全体として門形の門形フレーム１２が形成される。主枠体１４を連結することにより形成される門形フレーム１２の幅方向の寸法は例えば５．７ｍであり、高さ方向の寸法は、垂直支柱１７を構成する大径パイプ２２に対する小径棒材２３の位置を調節することによって、例えば２．３ｍ〜３．５ｍの間で変えることができる。
【００２５】
図４は一実施の形態である骨組み体を示す斜視図である。なお、図１および図２に示される部材と同様の部材には同一の符号が付されているが、図２に示された補強部材３０および筋かい３１は作図の便宜上省略している。骨組み体１３は、複数の門形フレーム１２を相互に平行に配置した状態のもとで相互に隣り合う門形フレーム１２を連結棒材３３により連結することにより形成される。２つの門形フレーム１２からなる骨組み体１３を組み立てるには、２つの門形フレーム１２をそれぞれ組み立てた状態で水平に地盤の上に配置した状態のもとで、２つの門形フレーム１２を屏風を立てる要領で立ち上げ、２つの門形フレーム１２を連結部材３３により連結する。
【００２６】
図４に示される場合にあっては、２つの門形フレーム１２を所定の間隔（例えば、１．８ｍ）で相互に平行に配置した状態のもとで、それぞれの門形フレーム１２を構成する垂直支柱１７の中間部と下端部とに連結棒材３３が掛け渡されており、門形フレーム１２のそれぞれは互いに支持しあって立設状態を保持するようになっている。図示される場合にあっては、それぞれの垂直支柱１７の間には、補強のための交差筋かい３４が上下２箇所に掛け渡されている。
【００２７】
図５（Ａ）は足場板の平面図であり、（Ｂ）は足場板の正面図である。布板とも称される足場板３５は、枠体部３５ａの上面に布板部３５ｂが設けられ、枠体部３５ａの長手方向の両端面にそれぞれ幅方向に間隔を隔ててフック３６が設けられている。
【００２８】
図４に示されるように、このフック３６を相互に隣り合う門形フレーム１２の上側水平棒材１８に掛け渡すことによって、足場板３５は骨組み体１３に対して着脱自在に装着され、その布板部３５ｂおよび枠体部３５ａにより作業面１１を形成することができる。そして、図１に示されるように、複数の足場板３５を隙間無く上側水平棒材１８に掛け渡すことによって、上側水平棒材１８とほぼ同一の高さに所定の大きさの作業面１１を形成することができる。なお、形成される作業面１１を水平なものとするため、門形フレーム１２を構成する垂直支柱１７の全長は、全て同じ長さに設定されている。
【００２９】
地盤から所定の高さ（例えば、３ｍ）に作業面１１を形成する場合にあっては、地上から上側水平棒材１８に対して足場板３５を直接掛け渡すことが困難となる。そこで、上側水平棒材１８よりも下側に配置される下側水平棒材１９に複数の足場板を掛け渡して足場面３７を形成し、作業者が足場面３７にのり込んで、上側水平棒材１８に足場板３５を掛け渡す作業を行うようにしても良い。
【００３０】
図４に示されるような、２台の門形フレーム１２から構成される骨組み体１３に対して、更に別の門形フレーム１２を連結することによって、作業面１１や足場面３７を形成することができる領域を拡張することが可能できる。図１に示される場合にあっては、連結棒材３３によって相互に連結された６台の門形フレーム１２によって骨組み体１３が構成されている。このように、所定の間隔で相互に平行に配置される門形フレーム１２の数を増減させることで、内装工事の対象となる天井や壁面の大きさに応じて、作業面１１を形成することができる領域を変えることができる。図１に示すように、６台の門形フレーム１２を有する移動式作業台は、４名の作業者による１時間程度の組立作業によって組み立てられ、組立作業性に優れている。
【００３１】
作業員が作業面１１に乗り込むため、作業面１１と地盤との間には、下端部に車輪３８を有する階段３９が取り付けられる。ここで、地盤から所定の高さ（例えば、３ｍ）面上に形成される作業面１１に階段３９を掛け渡すため、図１に示されるように、下側水平棒材１９に踊場用の足場板４０を取り付け、作業面１１と踊場用の足場板４０との間に階段部材３９ａを装着するとともに、踊場用の足場板４０と地盤との間に階段部材３９ｂを装着して両方の階段部材３９ａ，３９ｂにより階段３９を形成しても良い。なお、階段に代えて梯子を取り付けるようにしても良く、作業者が地盤と作業面１１との間を行き交いするための上り下り手段としては、図示するような階段でも良く、梯子でも良い。
【００３２】
移動式作業台１０を構成する垂直支柱１７の下端部には車輪１６が装着されており、階段３９の下端部にも車輪３８が装着されており、移動式作業台１０は一体として水平に移動させることができる。図１に示されるように、地盤に平行に２本の案内レール２７を配置し、それぞれの案内レール２７上に車輪１６を配置し、移動式作業台１０を案内レール２７に沿って移動させることもできる。案内レール２７上に車輪１６を案内させて移動式作業台１０を移動させる際にはロック部材２６により車輪１６の垂直軸回りの旋回移動が禁止され、案内レール２７を使用しないときには、ロック部材２６を取り外すことにより水平方向任意の方向に移動式作業台１０を移動させることができる。
【００３３】
作業員の落下防止のため、骨組み体１３の上端部の周囲には手摺り４１が取り付けられている。骨組み体１３の内側に資材を搬入するため、相互に隣り合う門形フレーム１２の一部に連結棒材３３を掛け渡さないようにして、門形フレーム１２の間に図示しない荷物搬入台車が進入する開口部４２を形成しても良い。
【００３４】
本発明は前記実施の形態に限られるものでなく、その要旨を逸脱しない範囲内において種々変更可能である。たとえば、足場面３７を形成するための足場板や踊場用の足場板４０としては、図５に示される足場板３５を使用することができる。
【図面の簡単な説明】
【００３５】
【図１】本発明の一実施の形態である移動式作業台の全体構成を示す斜視図である。
【図２】一実施の形態である門形フレームの全体構成を示す正面図である。
【図３】垂直支柱の下端部に装着される車輪を拡大して示す斜視図である。
【図４】一実施の形態である骨組み体を示す斜視図である。
【図５】（Ａ）は足場板の平面図であり、（Ｂ）は足場板の正面図である。
【符号の説明】
【００３６】
１０  移動式作業台
１１  作業面
１２  門形フレーム
１３  骨組み体
１４  主枠体
１５  枠体
１６  車輪
１７  垂直支柱
１７ａ  ベース部
１８  上側水平棒材
１９  下側水平棒材
２０  外側垂直棒材
２１  内側垂直棒材
２２  大径パイプ
２２ａ  挿入孔
２３  小径棒材
２３ａ  位置決め孔
２４  固定ピン
２５  ロック機構
２６  ロック部材
２７  案内レール
２８  締結具
２９  筋かい
３０  補強部材
３１  筋かい
３２  締結具
３３  連結棒材
３４  交差筋かい
３５  足場板
３５ａ  枠体部
３５ｂ  布板部
３６  フック
３７  足場面
３８  車輪
３９  階段
３９ａ，３９ｂ  階段部材
４０  足場板
４１  手摺り
４２  開口部
【図１】
2006016866.tif 000003
【図２】
2006016866.tif 000004
【図３】
2006016866.tif 000005
【図４】
2006016866.tif 000006
【図５】
2006016866.tif 000007